(57)【要約】【課題】成果物情報における秘密情報の秘密状態を保持したまま秘密情報以外の部分だけを公開可能とし、成果物情報を有効活用できるようにする。【解決手段】成果物管理サーバ２０が、クライアント端末１０からの成果物情報の取得要求を受け付け、取得要求を受け付けた成果物情報を成果物情報ＤＢ３４から読み出して解析し、その成果物情報に含まれる要素（単語）を抽出し、抽出した要素のうち秘匿化すべきキーワードに一致する要素を特定し、特定した要素を所定の秘匿処理によって秘匿化し、特定した要素を秘匿化した成果物情報をクライアント端末１０に提供する。【選択図】図９
2008217652.tif 000002
【特許請求の範囲】
【請求項１】
不特定のユーザに公開すべきでない秘密情報を含む秘密情報包含データを管理するデータ管理システムであって、
秘匿化すべきキーワードを示す秘匿キーワードを記憶するキーワード記憶手段と、
秘密情報包含データを記憶するデータ記憶手段と、
秘密情報包含データの取得要求を受け付ける受付手段と、
取得要求を受け付けた秘密情報包含データを解析して、当該秘密情報包含データに含まれる要素を抽出する要素抽出手段と、
抽出した要素のうち、前記キーワード記憶手段に記憶されている前記秘匿キーワードのいずれかに一致する要素を特定する特定手段と、
前記秘密情報包含データに含まれる要素のうち前記特定手段が特定した要素を所定の秘匿処理によって秘匿化した秘密情報秘匿化データを生成する生成手段と、
生成した秘密情報秘匿化データを提供する提供手段とを含む
ことを特徴とするデータ管理システム。
【請求項２】
不特定のユーザに公開すべきでない秘密情報を含む秘密情報包含データを管理するデータ管理サーバであって、
秘密情報包含データの取得要求を受け付ける受付手段と、
取得要求を受け付けた秘密情報包含データを、当該秘密情報包含データを記憶するデータ記憶手段から読み出して解析し、当該秘密情報包含データに含まれる要素を抽出する要素抽出手段と、
抽出した要素のうち、秘匿化すべきキーワードを示す秘匿キーワードを記憶するキーワード記憶手段に記憶されている前記秘匿キーワードのいずれかに一致する要素を特定する特定手段と、
前記秘密情報包含データに含まれる要素のうち前記特定手段が特定した要素を所定の秘匿処理によって秘匿化した秘密情報秘匿化データを生成する生成手段と、
生成した秘密情報秘匿化データを提供する提供手段とを含む
ことを特徴とするデータ管理サーバ。
【請求項３】
不特定のユーザに公開すべきでない秘密情報を含む秘密情報包含データを管理させるデータ管理プログラムであって、
コンピュータに、
秘密情報包含データの取得要求を受け付ける受付処理と、
取得要求を受け付けた秘密情報包含データを、当該秘密情報包含データを記憶するデータ記憶手段から読み出して解析し、当該秘密情報包含データに含まれる要素を抽出する要素抽出処理と、
抽出した要素のうち、秘匿化すべきキーワードを示す秘匿キーワードを記憶するキーワード記憶手段に記憶されている前記秘匿キーワードのいずれかに一致する要素を特定する特定処理と、
前記秘密情報包含データに含まれる要素のうち前記特定処理にて特定した要素を所定の秘匿処理によって秘匿化した秘密情報秘匿化データを生成する生成処理と、
生成した秘密情報秘匿化データを提供する提供処理とを
実行させるためのデータ管理プログラム。
【請求項４】
前記生成処理では、前記秘匿処理にて、前記特定処理にて特定した要素を、前記秘密情報包含データが示すページの背景色と同一色とするか、他の任意の要素に置換するか、前記秘密情報包含データが示すページにおいて塗り潰すかによって、秘匿化させる
請求項３記載のデータ管理プログラム。
【請求項５】
前記生成手段では、前記秘匿処理にて、前記秘密情報包含データが示すページにおける前記特定処理にて特定した要素周辺の背景色を、前記特定処理にて特定した要素と同一色とすることによって、前記特定処理にて特定した要素を秘匿化させる
請求項３記載のデータ管理プログラム。
【請求項６】
要素抽出処理では、所定の自然言語処理、形態素解析、あるいは構文解析によって秘密情報包含データを解析させる
請求項３から請求項４のうちいずれかに記載のデータ管理プログラム。
【請求項７】
前記キーワード記憶手段は、秘匿キーワードと、当該秘匿キーワードを閲覧可能とする権限のレベルを示す権限レベルとを対応付けして記憶し、
前記受付処理では、ユーザを特定可能なユーザＩＤを提示した秘密情報包含データの取得要求を受け付けさせ、
前記特定処理では、前記キーワード記憶手段に記憶されている秘匿キーワードのうち、対応付けされた権限レベルが前記取得要求の際に提示されたユーザＩＤが示すユーザに設定されている権限レベルより高い秘匿キーワードに一致する要素を特定させる
請求項３から請求項６のうちいずれかに記載のデータ管理プログラム。
【請求項８】
前記特定処理では、秘密情報包含データの取得要求を受け付け可能なユーザを示すユーザＩＤと、当該ユーザの権限のレベルを示す権限レベルとを含むユーザ権限情報を記憶する権限情報記憶手段を参照することによって、前記取得要求の際に提示されたユーザＩＤが示すユーザに設定されている権限レベルを確認させる
請求項７記載のデータ管理プログラム。
【発明の詳細な説明】
【技術分野】
【０００１】
本発明は、不特定のユーザに公開すべきでない秘密情報を含む秘密情報包含データを管理するデータ管理システム、データ管理サーバ、およびデータ管理プログラムに関するものである。
【背景技術】
【０００２】
従来から、個人情報などの秘密情報を含む文書データを通信ネットワーク上のサーバで管理し、必要に応じてクライアント端末に提供するようにしたシステムがある。このようなシステムにおいては、一般に、サーバへのアクセス制限を行うことによって、情報の提供が許容されているクライアントのみに文書データを提供することとし、秘密情報が漏洩しないように制御することとしている（特許文献１）。
【特許文献１】特開２００１−２０９７４２号公報（段落００１０，図１８等）
【発明の開示】
【発明が解決しようとする課題】
【０００３】
ところが、上述した従来の技術においては、アクセス権限の有無によって文書データを提供するか否か判定されるため、文書データの一部に秘密情報を含む場合であってもアクセス制限がなされてしまう。このため、文書データの一部にのみ閲覧権限がないクライアントであっても、秘密情報でない部分を含む文書データ全体を公開することができず、文書データを有効活用することができないという問題があった。
【０００４】
本発明は、かかる問題点に鑑みてなされたもので、文書データにおける秘密情報の秘密状態を保持したまま、秘密情報以外の部分だけを公開することができ、文書データを有効活用することができるようにすることを目的とする。
【課題を解決するための手段】
【０００５】
本発明に係るデータ管理システムは、不特定のユーザに公開すべきでない秘密情報を含む秘密情報包含データを管理するデータ管理システムであって、秘匿化すべきキーワードを示す秘匿キーワードを記憶するキーワード記憶手段と、秘密情報包含データを記憶するデータ記憶手段と、秘密情報包含データの取得要求を受け付ける受付手段と、取得要求を受け付けた秘密情報包含データを解析して、当該秘密情報包含データに含まれる要素を抽出する要素抽出手段と、抽出した要素のうち、前記キーワード記憶手段に記憶されている前記秘匿キーワードのいずれかに一致する要素を特定する特定手段と、前記秘密情報包含データに含まれる要素のうち前記特定手段が特定した要素を所定の秘匿処理によって秘匿化した秘密情報秘匿化データを生成する生成手段と、生成した秘密情報秘匿化データを提供する提供手段とを含むことを特徴とする。本発明に係るデータ管理システムによれば、秘密情報包含データにおける秘密情報の秘密状態を保持したまま、秘密情報以外の部分だけを公開することができ、秘密情報包含データを有効活用することができるようになる。
【０００６】
本発明に係るデータ管理サーバは、不特定のユーザに公開すべきでない秘密情報を含む秘密情報包含データを管理するデータ管理サーバであって、秘密情報包含データの取得要求を受け付ける受付手段と、取得要求を受け付けた秘密情報包含データを、当該秘密情報包含データを記憶するデータ記憶手段から読み出して解析し、当該秘密情報包含データに含まれる要素を抽出する要素抽出手段と、抽出した要素のうち、秘匿化すべきキーワードを示す秘匿キーワードを記憶するキーワード記憶手段に記憶されている前記秘匿キーワードのいずれかに一致する要素を特定する特定手段と、前記秘密情報包含データに含まれる要素のうち前記特定手段が特定した要素を所定の秘匿処理によって秘匿化した秘密情報秘匿化データを生成する生成手段と、生成した秘密情報秘匿化データを提供する提供手段とを含むことを特徴とする。本発明に係るデータ管理サーバによれば、秘密情報包含データにおける秘密情報の秘密状態を保持したまま、秘密情報以外の部分だけを公開することができ、秘密情報包含データを有効活用することができるようになる。
【０００７】
本発明に係るデータ管理プログラムは、不特定のユーザに公開すべきでない秘密情報を含む秘密情報包含データを管理させるデータ管理プログラムであって、コンピュータに、秘密情報包含データの取得要求を受け付ける受付処理と、取得要求を受け付けた秘密情報包含データを、当該秘密情報包含データを記憶するデータ記憶手段から読み出して解析し、当該秘密情報包含データに含まれる要素を抽出する要素抽出処理と、抽出した要素のうち、秘匿化すべきキーワードを示す秘匿キーワードを記憶するキーワード記憶手段に記憶されている前記秘匿キーワードのいずれかに一致する要素を特定する特定処理と、前記秘密情報包含データに含まれる要素のうち前記特定処理にて特定した要素を所定の秘匿処理によって秘匿化した秘密情報秘匿化データを生成する生成処理と、生成した秘密情報秘匿化データを提供する提供処理とを実行させるためのものである。本発明に係るデータ管理プログラムによれば、コンピュータに、秘密情報包含データにおける秘密情報の秘密状態を保持したまま、秘密情報以外の部分だけを公開させることができ、秘密情報包含データを有効に活用させることができるようになる。
【発明の効果】
【０００８】
本発明によれば、秘密情報包含データにおける秘密情報の秘密状態を保持したまま、秘密情報以外の部分だけを公開することができ、秘密情報包含データを有効活用することができるデータ管理システム、およびデータ管理サーバ、およびデータ管理プログラムを提供することができる。
【発明を実施するための最良の形態】
【０００９】
以下、図面に基づいて本発明のデータ管理システムの実施形態に係る成果物管理システムについて説明する。
【００１０】
図１は、成果物管理システムの構成の例を示すブロック図である。図１に示すように、成果物管理システムは、クライアント端末１０と、成果物管理サーバ２０とを含む。クライアント端末１０と、成果物管理サーバ２０とは、インターネットやＬＡＮなどの通信ネットワーク４０によって接続されている。なお、クライアント端末は、いくつ接続されていてもよい。
【００１１】
クライアント端末１０は、例えばパーソナルコンピュータなどの情報処理装置であって、各種の情報を表示してユーザに提示するためのＬＣＤ等の表示装置や、ユーザが各種の情報を入力するためのキーボードやマウスなどの入力装置を備えている。
【００１２】
成果物管理サーバ２０は、本システムのシステム管理者によって管理されるサーバ装置であり、各種の情報を格納するＤＢ３０を備えている。なお、ＤＢ３０は、ＲＡＭやハードディスク装置などの記憶媒体によって構成されるＤＢ装置であり、成果物管理サーバ２０の内部に設けられていても外部に設けられていてもよい。
【００１３】
ＤＢ３０は、各ユーザに係るユーザ情報を格納するユーザ情報ＤＢ３１と、体制表を格納する体制表ＤＢ３２と、プロジェクト情報を格納するプロジェクト情報ＤＢ３３と、あるプロジェクトの成果が記述された文書データなどの成果物情報を格納する成果物情報ＤＢ３４と、各種のキーワードを格納するキーワードＤＢ３５とを含む。「成果物情報」は、不特定のユーザに公開すべきでない秘密情報を含む秘密情報包含データの一例である。
【００１４】
次に、ＤＢ３０に格納する情報を具体的なテーブル情報を用いて説明する。
【００１５】
ユーザ情報ＤＢ３１に格納されるユーザ情報は、ユーザに係る情報である。図２は、本システムを利用するユーザに係る情報を示すユーザ情報を表すユーザ情報テーブルの例を示す説明図である。図２に示すように、ユーザ情報テーブルは、ユーザを一意に特定するためのユーザＩＤ、ユーザの名称を示すユーザ名称などの各種の項目が対応付けられた情報である。すなわち、ユーザ情報は、各ユーザ毎に作成され、ユーザＩＤ、ユーザ名称などの各種の情報を含む。
【００１６】
体制表ＤＢ３２に格納される体制表は、プロジェクトに参画するメンバを特定するための情報である。図３は、その体制表を表す体制表テーブルの例を示す説明図である。図３に示すように、体制表テーブルは、プロジェクトを一意に特定するプロジェクトコード、各ユーザ（メンバ）の閲覧権限のレベルを示す権限レベル、各ユーザ（メンバ）を一意に特定するためのユーザＩＤなどの各種の項目が対応付けられた情報である。すなわち、体制表は、プロジェクト毎に作成され、該当するプロジェクトのプロジェクトコード、プロジェクトに参画している各メンバの権限レベル、その各メンバのユーザＩＤなどの各種の情報を含む表（情報）である。
【００１７】
プロジェクト情報ＤＢ３３に格納されるプロジェクト情報は、各プロジェクトに関する情報である。図４は、そのプロジェクト情報を表すプロジェクト情報テーブルの例を示す説明図である。図４に示すように、プロジェクト情報テーブルは、プロジェクトコード、プロジェクトの名称を示すプロジェクト名称などの各種の項目が対応付けられた情報である。すなわち、プロジェクト情報は、各プロジェクト毎に作成され、プロジェクトコード、プロジェクト名称などの各種の情報を含む。
【００１８】
成果物情報ＤＢ３４に格納される成果物情報は、プロジェクトにて完成した製品などの最終的に納入対象となる成果物に係る情報を意味し、例えば、健康診断書に係る情報などが該当する。図５は、各プロジェクトにおいて得られた各成果物を示す成果物情報を表す成果物情報テーブルの例を示す説明図である。図５に示すように、成果物情報テーブルは、成果物を一意に特定するための成果物ＩＤと、該当する成果物を得たプロジェクトを示すプロジェクトコード、成果物の実体を示すコンテンツなどの各種の項目が対応付けられた情報である。すなわち、成果物情報は、各成果物毎に作成され、成果物ＩＤ、プロジェクトコード、コンテンツなどの各種の情報を含む。
【００１９】
キーワードＤＢ３５に格納されるキーワード情報は、秘匿化するキーワードを権限レベルにより階層化して保持するための情報である。図６は、そのキーワード情報を表すキーワード情報テーブルの例を示す説明図である。図６に示すように、キーワード情報テーブルは、プロジェクトコード、権限レベル、秘密事項としたいキーワードなどの各種の項目が対応付けられた情報である。すなわち、キーワード情報は、各キーワード毎に作成され、該当するプロジェクトを示すプロジェクトコード、閲覧可能とする権限のレベルを示す権限レベル、秘匿対象とする数字、記号、文字などのキーワードなどの各種の情報を含む。
【００２０】
次に、本例の成果物管理システムにおける成果物情報提供処理について説明する。図７は、成果物管理サーバ２０が実行する成果物情報提供処理の例を示すフローチャートである。
【００２１】
成果物情報提供処理において、成果物管理サーバ２０は、先ず、クライアント端末１０からの成果物情報をダウンロードしたい旨のリクエスト（成果物情報取得要求）を受け付ける（ステップＳ１０１）。なお、クライアント端末１０は、ユーザＩＤと、成果物ＩＤと、コンテンツを特定するファイル名（あるいはＵＲＬ）とを提示して成果物データ取得要求を行う。
【００２２】
ユーザＸは、クライアント端末１０が備える表示装置に表示された成果物情報詳細画面を閲覧し、成果物情報詳細画面に表示された成果物情報のいずれかを選択することで、ダウンロードする成果物情報を選択（例えば、マウスクリックにより選択）する。クライアント端末１０は、ユーザによって成果物情報が選択されると、その成果物データをダウンロードしたい旨のリクエストを、成果物管理サーバ２０に対して送信する。
【００２３】
成果物情報詳細画面は、例えば図８に示すように、成果物ＩＤ、プロジェクトコード、１または２以上のコンテンツ（成果物情報）などの成果物情報に関連する各種の事項を表示する表示領域を含む画面である。成果物情報詳細画面は、成果物管理サーバ２０によって各成果物毎に生成され、クライアント端末１０の要求に応じて成果物管理サーバ２０から提供される。
【００２４】
成果物管理サーバ２０は、成果物情報取得要求を受けると、体制表テーブルを参照して、成果物情報取得要求を受けた際に取得したプロジェクトコードを含む体制表テーブルに、成果物情報取得要求を受けた際に取得したユーザＩＤが含まれるか否か確認する。含まれていれば、成果物管理サーバ２０は、ユーザＩＤが含まれていた体制表テーブルを参照し、そのユーザＩＤが示すユーザの権限レベルを確認する（ステップＳ１０２）。
【００２５】
次に、成果物管理サーバ２０は、後述する秘匿化処理を実行する（ステップＳ１０４）。そして、成果物管理サーバ２０は、秘匿化済の成果物情報（秘密情報秘匿化データの一例）を、クライアント端末１０に向けて通信ネットワーク４０を介して送信する（ステップＳ１０５）。
【００２６】
次に、本例の成果物管理システムにおける秘匿化処理について説明する。図９は、成果物管理サーバ２０が実行する秘匿化処理の例を示すフローチャートである。
【００２７】
秘匿化処理において、成果物管理サーバ２０は、先ず、キーワードＤＢ３５を参照して、成果物情報取得要求を受けた際に取得したプロジェクトコードに対応付けされているキーワードのファイルを読み込む（ステップＳ２０１）。
【００２８】
次いで、成果物管理サーバ２０は、成果物情報取得要求により成果物ＩＤにて指定された成果物情報を、成果物情報ＤＢ３４から読み出すことによって取得する（ステップＳ２０２）。次に、成果物管理サーバ２０は、取得した成果物情報の内容を解析する（ステップＳ２０３）。ステップＳ２０３では、例えば一般に使用されている所定の自然言語処理、形態素解析、あるいは構文解析によって成果物情報を解析し、成果物情報に含まれている単語、文章、項目などを抽出する。ここでは、例えば図１０に示すような成果物情報の内容が解析されるものとする。
【００２９】
図１０は、成果物情報の一例である部品設計書の例を示す説明図である。部品設計書には、図１０に示すように、作成年月日や会社名の他、従業員番号や氏名などの個人情報も含まれている。
【００３０】
次いで、成果物管理サーバ２０は、読み込んだキーワードファイルに登録されているキーワードのうち、未だ比較対象となっていないキーワードを特定し、特定したキーワードと、解析した成果物情報に含まれる単語それぞれとを比較する（ステップＳ２０４）。
【００３１】
比較した結果、キーワードに一致する単語があった場合には（ステップＳ２０５のＹ）、成果物管理サーバ２０は、一致した単語を秘匿化する秘匿化処理を実行する（ステップＳ２０６）。秘匿化処理においては、具体的には、図１１に示すように所定の色（例えば黒）で塗り潰すことによって秘匿化したり、図１２に示すように文字色を背景色と同じ色にすることによって秘匿化する。また、該当する文字周辺の背景色を文字色と同じ色にすることによって秘匿化するようにしてもよい。さらに、文字を他の任意の文字（例えば、意味を持たない文字列）に置換することによって秘匿化するようにしてもよい。
【００３２】
なお、本例では、成果物管理サーバ２０は、ステップＳ２０６にて、キーワードＤＢ３５を参照して対象となっているキーワードに対応付けされている権限レベルを確認し、確認した権限レベルが、ユーザＩＤに対応付けされている権限レベルより高い場合には、秘匿化処理を実行する。すなわち、あるユーザは、そのユーザのユーザＩＤに対応付けされている権限レベル以下の権限レベルが対応付けされているキーワードについては閲覧することができる。
【００３３】
そして、成果物管理サーバ２０は、読み込んだキーワードファイルに登録されているキーワードのうち、比較対象となっていないキーワードがあるか否か判定し、そのようなキーワードがあれば、すなわち全てのキーワードが未だ比較対象となっていなければ（ステップＳ２０７のＮ）、ステップＳ２０４に移行する。一方、全てのキーワードが比較対象となっていれば（ステップＳ２０７のＹ）、成果物管理サーバ２０は、秘匿化済の成果物情報を編集不可状態とする（ステップＳ２０８）。その後、上述したステップＳ１０５にて、クライアント端末１０に送信される。
【００３４】
以上に説明したように、上述した一実施形態によれば、成果物管理サーバ２０が、クライアント端末１０からの成果物情報の取得要求を受け付け、取得要求を受け付けた成果物情報を成果物情報ＤＢ３４から読み出して解析し、その成果物情報に含まれる要素（単語）を抽出し、抽出した要素のうち秘匿化すべきキーワードに一致する要素を特定し、特定した要素を所定の秘匿処理によって秘匿化し、特定した要素を秘匿化した成果物情報をクライアント端末１０に提供する構成としたので、成果物情報における秘密情報の秘密状態を保持したまま、秘密情報以外の部分だけを公開することができ、成果物情報を有効活用することができるようになる。
【００３５】
また、成果物情報における秘密情報の秘密状態を保持しておくことができ、例えば顧客情報や個人情報などの秘密情報が漏洩してしまうことを防止することができる。また、成果物情報における秘密情報の秘匿化を自動的に行うことができ、ユーザが成果物を公開する際に秘匿対象の秘密情報の秘匿作業を手作業で実施する必要がなくなり、仕事量を削減することができる。このように、成果物情報における秘密情報の秘匿化が自動的に行われるので、秘密情報の秘匿作業を手作業で実施する場合と比較すると、秘密情報の秘匿をより確実に実施することが可能となり、安全性を高めることが可能となる。
【００３６】
また、成果物全体でなく成果物の内容に細かくセキュリティを設定することが可能となり、閲覧を許可されたユーザが許容された範囲で必要なときに成果物の内容にアクセスすることを保障することができ、成果物を有効に利用することが可能となる。
【００３７】
また、上述したように、成果物管理サーバ２０が、秘匿処理にて、秘匿対象の要素（単語）を成果物情報が示すページの背景色と同一色とするか、他の任意の要素に置換するか、成果物情報が示すページにおいて塗り潰すかによって、秘匿化するようにしているので、秘匿対象の要素を確実に秘匿状態にすることができる。
【００３８】
また、上述したように、成果物管理サーバ２０が、キーワードＤＢ３５に記憶されているキーワードのうち、対応付けされた権限レベルがリクエストの際に提示されたユーザＩＤが示すユーザに設定されている権限レベルより高いキーワードに一致する要素（単語）を、秘匿対象の要素として特定するようにしているので、権限レベルに応じて階層的に秘匿状態に設定することが可能となる。従って、アクセス権限のレベルによって、公開可能な範囲を異ならせることができ、成果物の機密性を保持したまま、その有効活用をすることが可能となる。
【００３９】
なお、上述した実施の形態においては特に言及していないが、成果物管理システム（データ管理システム）を構成する各部は、各部に搭載されている処理プログラム（データ管理プログラム）に従って、上述した各種の処理を実行する。
【図面の簡単な説明】
【００４０】
【図１】本発明の一実施形態に係る成果物管理システムの構成の例を示すブロック図である。
【図２】ユーザ情報テーブルの例を示す説明図である。
【図３】体制表テーブルの例を示す説明図である。
【図４】プロジェクト情報テーブルの例を示す説明図である。
【図５】成果物情報テーブルの例を示す説明図である。
【図６】キーワード情報テーブルの例を示す説明図である。
【図７】成果物情報提供処理の例を示すフローチャートである。
【図８】成果物情報詳細画面の例を示す説明図である。
【図９】秘匿化処理の例を示すフローチャートである。
【図１０】成果物情報の一例を示す説明図である。
【図１１】秘匿化済の成果物情報の一例を示す説明図である。
【図１２】秘匿化済の成果物情報の一例を示す説明図である。
【符号の説明】
【００４１】
１０…クライアント端末，２０…成果物管理サーバ，３０…ＤＢ，３１…ユーザ情報ＤＢ，３２…体制表ＤＢ，３３…プロジェクト情報ＤＢ，３４…成果物情報ＤＢ，３５…キーワードＤＢ，４０…通信ネットワーク
【図１】
2008217652.tif 000003
【図２】
2008217652.tif 000004
【図３】
2008217652.tif 000005
【図４】
2008217652.tif 000006
【図５】
2008217652.tif 000007
【図６】
2008217652.tif 000008
【図７】
2008217652.tif 000009
【図８】
2008217652.tif 000010
【図９】
2008217652.tif 000011
【図１０】
2008217652.tif 000012
【図１１】
2008217652.tif 000013
【図１２】
2008217652.tif 000014